(57)【要約】【課題】  積載荷重の増大や耐震補強の一手段として、躯体と一体的に構築される増設梁の主筋の定着を確実にして既存建物の耐力を向上させる、増設梁の接合構造および既存建物の補強方法に関する。【解決手段】  既存建物２０の既存梁２２ａに増設梁１０を接合して既存建物２０を補強する増設梁の接合構造であって、増設梁１０の主筋１１は、既存梁２２ａに穿孔した鉄筋挿通孔３０を貫通して、既存梁２２の増設梁１０が当接している面と反対側の面において固定手段１２を介して定着されている。【選択図】      図２
2006125022.tif 000002
【特許請求の範囲】
【請求項１】
既存建物を補強する増設梁の接合構造であって、
前記増設梁の主筋のうち、少なくとも上端主筋が、前記既存建物の躯体に穿孔した鉄筋挿通孔を貫通して配筋され、前記躯体の外部で定着されていることを特徴とする、増設梁の接合構造。
【請求項２】
前記鉄筋挿通孔を貫通した主筋が、固定手段を介して前記躯体の側面で定着されていることを特徴とする、請求項１に記載の増設梁の接合構造。
【請求項３】
前記鉄筋挿通孔を貫通した主筋が、前記増設梁と直交する方向に設けられた直交増設梁に定着されていることを特徴とする、請求項１に記載の増設梁の接合構造。
【請求項４】
前記増設梁が、前記躯体を挟んで両側にそれぞれ増設されており、
前記躯体の鉄筋挿通孔を貫通した一方の増設梁の主筋が、他方の増設梁に定着されていることを特徴とする、請求項１に記載の増設梁の接合構造。
【請求項５】
既存建物を補強する増設梁の接合構造であって、
前記増設梁が、前記既存建物の躯体を構成する梁を挟んで両側にそれぞれ増設されており、
一方の増設梁の主筋のうち少なくとも上端主筋または下端主筋の一方が、前記梁の断面外を通設して他方の増設梁に定着されていることを特徴とする、増設梁の接合構造。
【請求項６】
既存建物の躯体に増設梁を一体化して既存建物を補強する方法であって、
前記増設梁の端部が接合される前記既存建物の躯体に、前記増設梁の主筋が貫通する鉄筋挿通孔を穿孔する穿孔工程と、
前記鉄筋挿通孔を利用して増設梁の配筋を行う配筋工程と、
前記増設梁の断面に合せて型枠を設置する型枠工程と、
前記型枠内にコンクリートまたはモルタルを充填する充填工程と、を含むことを特徴とする既存建物の補強方法。
【発明の詳細な説明】
【技術分野】
【０００１】
本発明は、既存建物の補強を目的とした増設梁の、端部における躯体との接合構造およびその補強方法に関する。
【背景技術】
【０００２】
耐震診断の結果、耐震性が不十分であると判断された場合や、用途変更により積載荷重が増えた場合の既存建物に対する補強方法の一つとして、既存建物の梁の周囲に鉄筋コンクリート梁を増設して、既存の梁の耐力を大きくすることにより、耐震性を改善する補強法が実用化されている。なお、以下において、既存の梁の周囲に増設される鉄筋コンクリート梁を「増設梁」と称する場合がある。
【０００３】
このような梁の補強構造では、増設梁の主筋を既存の建物に定着させることにより、端部の固定度が上がり、ピン接合で設計する場合よりも剛性や曲げ耐力が増加する。そのため、増設梁の主筋は、既存躯体を構成する柱や梁等にあと施工アンカーを打設して定着させる方法が一般的である。
接着系のアンカーの場合は、既存建物の躯体を構成する柱や梁や壁等の部材に、アンカー鉄筋を挿入するための孔（鉄筋径の１０倍程度の深さ）を穿孔して、充填材とともに増設梁の主筋をこの鉄筋挿入孔に挿入して固定することで定着を可能としている。
【０００４】
例えば、特許文献１には、先端に向かって大径となるコーン形状に形成された拡張部材を備えた異形鉄筋を、コンクリート躯体に開けられた底部に拡幅部を有する挿入孔に挿入し、充填材により充填することにより、異型鉄筋の引抜き耐力を増強して定着させるコンクリート構造物接合体が記載されている。
【特許文献１】特開２００４−１１６１２８号公報（［００１１］−［００１６］、図１−図２）
【発明の開示】
【発明が解決しようとする課題】
【０００５】
ところが、耐震補強が必要と判断された既存建物の躯体はコンクリート強度が低い場合や、寸法（幅、厚み）が小さいことが多い。特に躯体の両側に当該コンクリート躯体と直交する方向に増設梁を設ける場合は、主筋の定着長を確保するのに必要な厚みを有していない場合が多く、対向するアンカー筋の位置をずらしたり、主筋径を落として本数を増やしたりして対処しなければならなかった。
また、主筋の先端に拡張部材を設け、底部に拡幅部が設けられた挿入孔に定着させる方法でも、躯体のコンクリート強度が低い場合には鉄筋の降伏以前に定着部でコーン破壊が生じる可能性があり、増設梁の曲げ耐力や端部の固定度が特定できないことがある。
【０００６】
本発明は、前記の問題点を解決するためになされたものであり、積載荷重の増大や耐震補強の一手段として、躯体と一体的に構築される増設梁の主筋の定着を確実にして既存建物の耐力を向上させる、増設梁の接合構造および既存建物の補強方法に関する。
【課題を解決するための手段】
【０００７】
前記課題を解決するために、請求項１に記載の発明は、既存建物を補強する増設梁の接合構造であって、前記増設梁の主筋のうち、少なくとも上端主筋が、前記既存建物の躯体に穿孔した鉄筋挿通孔を貫通して配筋され、前記躯体の外部で定着されていることを特徴としている。
【０００８】
かかる増設梁の接合構造は、強度や剛性が不十分であると判断された既存建物について増設梁による補強を行う場合において、増設梁の主筋が既存建物の躯体を貫通して、該躯体の増設梁が当接している面と反対側の面においてこの主筋が固定されることにより、増設梁と躯体とを一体化するとともに、端部の固定度を既存架構と同程度にするものである。つまり、柱、梁や壁等の躯体の部材寸法が小さく、増設される増設梁の主筋の定着長を確保できない場合でも、増設梁を両端固定として躯体と一体化することが可能となり、既存建物の耐力や剛性を確実に高めることが可能となる。また、主筋の定着は、既存の躯体を貫通してその反対側において行われているため、アンカー筋を打設する方法のように、コーン破壊による主筋の引抜け（定着破壊）が生じることがない。
ここで、本発明に係る増設梁の主筋の定着は、主筋が既存建物の躯体を構成する梁、柱、壁等の部材に固定されて設計耐力を発揮できる状態であって、ピン接合以外の半固定も含む。
【０００９】
また、請求項２に記載の発明は、請求項１に記載の増設梁の接合構造であって、前記鉄筋挿通孔を貫通した主筋が、固定手段を介して前記躯体の側面で定着されていることを特徴としている。
【００１０】
かかる増設梁の接合構造は、既存建物の躯体を貫通した増設梁の主筋を、該躯体の増設梁が当接された面と反対側の面において固定手段を介して定着することにより、確実にかつ簡易に定着することが可能となる。また、スパン両端の躯体に穿孔した鉄筋挿通孔に上端筋の仮固定に利用すれば、肋筋の配筋が容易になり、施工性にも優れている。
ここで、主筋を定着するための固定手段は、例えば、主筋に対応する位置に挿通孔が形成された鋼板とナット等から構成することで、ネジ鉄筋やネジ加工が施された鉄筋からなる主筋を締着するのみで、固定することが可能となる。また、主筋に対応する位置に挿通孔が形成された鋼板に、該主筋を貫通させた後、鋼板に溶接して固定してもよい。
【００１１】
また、請求項３に記載の発明は、請求項１に記載の増設梁の接合構造であって、前記鉄筋挿通孔を貫通した主筋が、前記増設梁と直交する方向に設けられた直交増設梁に定着されていることを特徴としている。
【００１２】
かかる増設梁の接合構造は、既存建物の躯体を貫通した主筋を、当該増設梁が当接された面と反対側の面においてこの増設梁と直交する方向に構築された増設梁（以下、本明細書において「直交増設梁」という場合がある）に定着することにより、確実かつ簡易に増設梁の既存建物への接合を行うことが可能となる。ここで、主筋の定着は、直交増設梁の内部で折曲げ定着により所定の定着長を確保する方法、または、固定手段を介して直交増設梁の側面にて行う方法により行うものとする。
【００１３】
また、請求項４に記載の発明は、請求項１に記載の増設梁の接合構造であって、前記増設梁が、前記躯体を挟んで両側にそれぞれ増設されており、前記躯体の鉄筋挿通孔を貫通した一方の増設梁の主筋が、他方の増設梁に定着されていることを特徴としている。
【００１４】
かかる増設梁の接合構造は、既存建物の柱や梁や壁等の躯体を貫通した増設梁の主筋を、その躯体を挟んで反対側に構築される増設梁に定着することにより、個別に主筋の固定手段を要することなく、複数の増設梁と既存建物とを一体化することを可能としている。なお、躯体を挟んで配設された両増設梁が、当該躯体を貫通した鉄筋をお互いの主筋として使用すれば、複雑な配筋作業等を要することなくお互いの主筋が相互に定着されて、連続梁と同様に端部の固定度を上げることが可能となり好適である。
【００１５】
また、請求項５に記載の発明は、既存建物を補強する増設梁の接合構造であって、前記増設梁が、前記既存建物の躯体を構成する梁を挟んで両側にそれぞれ増設されており、一方の増設梁の主筋のうち上端主筋または下端主筋の一方が、前記梁の断面外を通設して他方の増設梁に定着されていることを特徴としている。
【００１６】
かかる増設梁の接合構造は、増設梁の主筋を定着する既存の梁（以下、単に「既存梁」という場合がある）の断面が小さいために、主筋の全てを既存梁に定着することができない場合において、増設梁の主筋のうち、例えば上端主筋を既存梁に定着して下端主筋を既存梁の下方を通設させたり、逆に下端主筋を既存梁に定着して上端主筋を既存梁の上方を通設させて、もう一方の増設梁に定着することで、既存梁の寸法に制約されない大きな断面の増設梁を構築するものである。ここで、既存梁を挟んで両側に配設された増設梁が、既存梁断面の外部（上方または下方）を通設された主筋をお互いの主筋として使用すれば、単純な配筋で主筋の定着を互いに確保することができるため、梁の剛性・耐力の大幅な向上や、太径鉄筋の使用が可能となり好適である。
【００１７】
また、請求項６に記載の発明は、既存建物の躯体に増設梁を一体化して既存建物を補強する方法であって、前記増設梁の端部が接合される前記既存建物の躯体に、前記増設梁の主筋が貫通する鉄筋挿通孔を穿孔する穿孔工程と、前記鉄筋挿通孔を利用して増設梁の配筋を行う配筋工程と、前記増設梁の断面に合せて型枠を設置する型枠工程と、前記型枠内にコンクリートまたはモルタルを充填する充填工程と、を含むことを特徴としている。
【００１８】
かかる既存建物の補強方法は、柱や梁、壁等の躯体に鉄筋を挿通させて躯体の外部で定着することにより、部材断面やコンクリート強度の制約を受けてあと施工アンカーでは主筋の定着を確保できない場合でも、躯体の耐力や剛性の増強を可能にする。つまり、主筋の定着が不確実な躯体の内部にアンカー筋を打設するのではなく、躯体を貫通させて当該躯体の外側において、そこに設けられた他の部材に主筋を定着することにより増設梁主筋の降伏を保証し、端部の固定をより強固にして効率的に補強することができる。
また、既存建物の躯体を貫通した増設梁の主筋を、躯体の増設梁を当接させた反対側の面において固定手段を介して機械的に固定すれば、主筋の定着が確実になって端部の固定度も上がり、躯体と増設梁との一体化を簡易に行うことができて好適である。
【発明の効果】
【００１９】
本発明の増設梁の接合構造および既存建物の補強方法により、積載荷重の増大や、耐震性が不十分であると判断された建物に対して、増設梁の主筋を躯体に確実に定着させて、既存建物の剛性や耐力を向上させることが可能となる。
【発明を実施するための最良の形態】
【００２０】
以下、本発明の好適な実施の形態について、図面を参照して説明する。なお、説明において、同一要素には同一の符号を用い、重複する説明は省略する。
【００２１】
＜第１の実施の形態＞
図１は、第１の実施の形態（以下、単に「第１実施形態」という場合がある）に係る既存建物の補強方法により補強がなされた建物を示す断面図である。また、図２は、図１のＡ部分の増設梁の接合構造を示す拡大図であり、（ａ）は平断面図、（ｂ）は（ａ）のａ−ａ断面、（ｃ）は（ａ）のｂ−ｂ断面を示している。さらに、図３は、図１のＢ部分の増設梁の接合構造を示す拡大図であり、（ａ）は平断面図、（ｂ）は（ａ）のｃ−ｃ断面、（ｃ）は（ａ）のｄ−ｄ断面を示している。
【００２２】
第１実施形態に係る増設梁の接合構造（第一接合構造１及び第二接合構造２）は、図１に示すように、その横断方向（図１における左右方向）に、所定の間隔を有して立設された３本の既存柱２１と各既存柱２１の間に横設された既存梁２２（図２又は図３参照）と既存梁２２の上面に配設されて上層階と下層階とを区分するスラブ２３とを含む既存建物２０について、その耐震性を増強するために、既存梁２２の周囲に、増設梁１０を構築したものであるが、本発明の増設梁の接合構造が適用される既存建物の規模は限定されるものではない。
【００２３】
第一接合構造１及び第二接合構造２は、所定の間隔を有して配設された３本の既存柱２１から、増設梁１０と直交する方向（図１において紙面に直交する方向）に配設された既存梁（請求項の躯体）２２に両端が接合された増設梁１０を構築して既存建物２０を補強する構造であって、増設梁１０の主筋１１のうち、少なくとも上端主筋（主筋１１）が、各既存梁２２を貫通して配筋されて、既存梁２２の内部では定着されていない。
【００２４】
そして、両端の既存柱２１ａ，２１ａに固定された既存梁（以下「端部既存梁」という場合がある）２２ａの増設梁１０の端部が当接されている面と反対側の面には、端部既存梁２２ａを貫通した主筋１１をプレート定着するための固定手段１２が配設され、既存梁２２の外部で定着を確保している（第一接合構造１）。
【００２５】
また、中央の既存柱２１ｂに固定された既存梁（以下「中央既存梁」という場合がある）２２ｂには、該中央既存梁２２ｂを挟んで両側にそれぞれ増設梁１０の端部が当接されており、これらの２本の増設梁１０，１０が、中央既存梁２２ｂを貫通する上端主筋（主筋１１）と中央既存梁２２ｂの下を通設する下端主筋（主筋１１）とを介して構築されている（第二接合構造２）。
【００２６】
以下、第１実施形態について、詳細に説明する。
両端の既存柱２１ａ，２１ａにおける第一接合構造１は、図２（ａ）及び図２（ｂ）に示すように、端部既存梁２２ａの増設梁１０の主筋１１に対応する位置に鉄筋挿通孔３０が貫通されており、主筋１１の挿通を可能としている。なお、第１実施形態では、増設梁１０は、それぞれ４本の主筋１１がその長手方向に配筋されているものとする（図２（ｃ）参照）。そして、端部既存梁２２ａの増設梁１０の端部が当接された面と反対側の面には、所定の厚みを有し、増設梁１０の断面形状と略同形状の矩形状の鋼板からなる固定板１２ａと、ナット１２ｂとからなる固定手段１２が配設されている。ここで、固定板１２ａには、端部既存梁２２ａの鉄筋挿通孔３０に対応する位置に鉄筋挿通孔（図示せず）が貫通されており、主筋１１が挿通可能に形成されている。なお、第１実施形態では、１枚の固定板１２ａにより増設梁１０の全主筋１１，１１，…を固定するものとする。ここで、固定板１２ａは、所定の強度を有し、主筋１１の固定が可能であれば鋼板に限定されるものではない。
【００２７】
そして、増設梁１０の端部から突出された主筋１１は、端部既存梁２２ａの鉄筋挿通孔３０と固定板１２ａの鉄筋挿通孔を挿通した後、ナット１２ｂにより締着されている。ここで、主筋１１はネジ鉄筋からなり、ナット１２ｂは主筋１１のネジ山に対応したネジ加工がなされたものを使用する。なお、主筋１１は、ネジ鉄筋に限定されるものではなく、例えば、通常の丸鋼棒や異形鋼棒の先端にネジ加工を施したものや、通常の丸鋼棒や異形鋼棒の先端にネジ部を固定したものを使用してもよい。
【００２８】
また、中央既存梁２２ｂにおける第二接合構造２は、図３（ａ）及び（ｂ）に示すように、中央既存梁２２ｂに、増設梁１０の上端主筋（主筋１１）に対応する位置に鉄筋挿通孔３０がそれぞれ２本貫通されており、上端主筋（主筋１１）の挿通を可能としている。また、下端主筋（主筋１１）は、図３（ｂ）に示すように、中央既存梁２２ｂの下方を通設されている。そして、既存柱２１ｂを挟んで相対する方向に、増設梁１０，１０が横設されており、両増設梁１０，１０は、中央既存梁２２ｂを挿通および中央既存梁２２ｂの下方を通設した、主筋１１によって端部の定着を確保し、正負両方の曲げモーメントに抵抗することができる。
【００２９】
なお、主筋１１は、既存梁２２を貫通して又はその下を通設して、その反対側に配設された増設梁１０のコンクリート又は固定手段１２によって定着されているため、鉄筋挿通孔３０内において定着する必要はないが、気密性等を目的として、必要に応じて鉄筋挿通孔３０の充填を行う場合もある。
【００３０】
次に、第１実施形態に係る、既存建物の補強方法について説明する。
第１実施形態に係る既存建物の補強方法は、増設梁１０が接合される既存梁２２に、鉄筋挿通孔３０を穿孔する穿孔工程と、この鉄筋挿通孔３０を利用して増設梁１０の配筋を行う配筋工程と、増設梁１０の断面に合せて型枠を設置する型枠工程と、型枠内にコンクリートを充填する充填工程とから構成されている。
【００３１】
穿孔工程においては、既存梁２２の増設梁１０の主筋１１に対応する位置に、インパクトドリル、ロータリーハンマドリル、コアドリル等の公知の穿孔手段を用いて、断面円形の鉄筋挿通孔３０を貫通させる。ここで、鉄筋挿通孔３０の内径は、主筋１１の鉄筋径に若干の余裕を有した形状とする。なお、鉄筋挿通孔３０の形状は円形に限定されるものではなく、例えば、四角形状に形成してもよい。なお、この場合には、鉄筋挿通孔３０の高さ及び幅が、主筋１１の鉄筋径よりも若干大きく形成されるものとする。
【００３２】
配筋工程では、主筋１１を既存梁２２に形成された鉄筋挿通孔３０に挿通させて肋筋１１ａ（図２（ｃ）および図３（ｃ）参照）を配筋することにより行う。第１実施形態における主筋１１は、図１に示すように、既存梁２２，２２，２２の間を横設する２本の増設梁１０について、同一の連続した主筋１１を配筋するものとする。ここで、増設梁１０の配筋は、前記の構成に限定されるものではなく、例えば、増設梁１０の主筋１１をそれぞれ既存建物２０の既存梁（躯体）２２に定着することにより、各増設梁１０がそれぞれ個別の主筋１１を有する構成としてもよい。また、増設梁１０，１０の主筋１１は、図１に示すように、任意の長さの鉄筋を重ね継手により延長することで、同一の連続した主筋１１を使用するものとしたが、継手の箇所数等は既存建物の規模や使用する鉄筋の径等に応じて適宜設定するものとする。また、既存建物の規模や施工の手間等に応じて、継手を設けない１本の主筋１１をスパンを跨いで通しで配筋する構成としてもよい。
【００３３】
接合構造１においては、それぞれ端部既存梁２２ａ，２２ａの増設梁１０，１０が接合される面と反対側の面において、鉄筋挿通孔３０に対応する位置に配設された固定手段１２を介して増設梁１０，１０の主筋１１を定着する。
【００３４】
ここで、主筋１１の端部は、固定板１２ａとナット１２ｂとにより固定するものとし、一つの増設梁１０の４本の主筋１１，１１，…に対して、１枚の固定板１２ａと４個のナット１２ｂ，１２ｂ，…により締着する（図２（ｃ）参照）。
【００３５】
配筋終了後、増設梁１０の主筋１１および肋筋１１ａを囲う型枠（図示せず）を配設した後（型枠工程）、コンクリートを型枠内に打設する（充填工程）。なお、コンクリートの打設のタイミングは限定されるものではなく、例えば、増設梁１０の配筋作業が全て完了した後にコンクリート打設を行う方法でもよく、また、図１における右側の増設梁１０の配筋が完了したら、左側の増設梁１０の配筋作業を行うとともに右側の増設梁１０のコンクリート打設を行う方法でもよい。また、型枠内に充填される材料は、コンクリート以外に、充填性の優れたグラウト材やモルタル等を使用してもよい。
【００３６】
以上に示した増設梁の接合構造によれば、耐震性が不十分であると判断された場合や、用途変更により積載荷重が増えた既存建物に対する補強方法の一つとして、既存建物２０の既存柱２１が増設梁１０の主筋１１を定着させるために必要な寸法や強度を有していない場合であっても、既存建物２０と増設梁１０との一体化を確実に行うことができる。
つまり、増設梁１０の主筋１１を既存梁２２を貫通させて、既存梁２２の反対側の面において定着することにより、確実に端部の固定度を高めてより大きな曲げモーメントを負担することが可能となる。
【００３７】
また、第一接合構造１では、固定手段１２を用いて既存梁２２を貫通した主筋１１を簡易に固定するため、作業性に優れており、施工期間の短縮が可能となる。
【００３８】
また、一本の既存梁２２を挟んで該既存梁２２に直交する方向に増設梁１０，１０を接合する第二接合構造２は、同一の連続した主筋１１，１１，…を共有することにより、それぞれ個別に主筋１１を固定（定着）させる必要がなく、その作業に要する手間や、材料を省略することができ、施工性、経済性に優れている。
【００３９】
また、前記実施形態に係る増設梁の接合構造（第一接合構造１、第二接合構造２）によれば、増設梁１０の主筋１１を既存梁２２の断面内において個々に定着させるのではなく、既存柱２１を貫通させて、その反対側の部材（固定手段１２又は増設梁１０）に定着するため、端部で主筋が降伏した場合でも、降伏域は固定手段１２や増設梁１０まで進展しないため、定着は終局まで確実に保持される。
【００４０】
＜第２の実施の形態＞
図４は、第２の実施の形態（以下、単に「第２実施形態」という場合がある）に係る増設梁の接合構造を示す図であり、（ａ）は平断面図、（ｂ）は（ａ）のｅ−ｅ断面を示している。
【００４１】
第２実施形態に係る増設梁の接合構造は、図４（ａ）に示すように、増設梁１０を既存梁２２の周囲に構築する場合において、当該増設梁１０を接合する既存梁２２の周囲にも直交増設梁１０’が構築されているものである。
【００４２】
そのため、増設梁１０は、図４（ａ）及び（ｂ）に示すように、鉄筋挿通孔３０を貫通した主筋１１が、増設梁１０と直交する方向に設けられた直交増設梁１０’に定着されることにより、既存梁２２に接続されている。
なお、直交増設梁１０’，１０’は、既存梁２２を挟んで構築されており、同一の連続した主筋１１，１１，…を共有することにより、接続されている。
【００４３】
図４（ａ）及び（ｂ）に示すように、増設梁１０には、その横断方向に２本の主筋１１，１１が上下に２段、計４本の主筋１１，１１，…が軸方向に配筋されている。そして、これらの主筋１１，１１，…は、鉄筋挿通孔３０を貫通して、既存梁２２に反対側に構築された直交増設梁１０’に定着されている。
ここで、増設梁１０の上端主筋（主筋１１）は、図４（ｂ）に示すように、鉄筋挿通孔３０を貫通した後、直交増設梁１０’の側面において固定手段１２により定着されている。そして、下端主筋（主筋１１）は、鉄筋挿通孔３０を貫通した後、直交増設梁１０’の内部において、折り曲げられることにより、所定の定着長を確保して、定着されている。なお、上端主筋及び下端主筋（主筋１１，１１）の定着方法は、上記の方法に限定されるものではなく、全主筋１１，１１，…について固定手段１２を介して行う方法、全主筋１１，１１，…を折り曲げて直交増設梁１０’内で定着させる方法、また、下端主筋を固定手段１２により定着、上端主筋を直交増設梁１１’内において定着させる方法等、適宜既存建物及び直交増設梁の規模や構成、作業手順等に応じて決定すればよい。
【００４４】
次に、第２実施形態に係る、既存建物の補強方法について説明する。
第２実施形態に係る既存建物の補強方法は、増設梁１０が接合される既存梁２２及び直交増設梁１０’が接合される既存梁２２に、鉄筋挿通孔３０を穿孔する穿孔工程と、この鉄筋挿通孔３０を利用して増設梁１０及び直交増設梁１０’の配筋を行う配筋工程と、増設梁１０及び直交増設梁１０’の断面に合せて型枠を設置する型枠工程と、型枠内にコンクリートを充填する充填工程とから構成されている。
【００４５】
穿孔工程では、既存梁２２の増設梁１０の主筋１１に対応する位置に、穿孔手段を用いて、断面円形の鉄筋挿通孔３０を貫通させる。この際、鉄筋挿通孔３０は、増設梁１０と直交増設梁１０’との配筋がお互いに干渉することがないようにする。
なお、その他の第２実施形態に係る穿孔工程の内容は、第１実施形態に示したものと同様なため、詳細な説明は省略する。
【００４６】
配筋工程では、主筋１１を既存梁２２に形成された鉄筋挿通孔３０に挿通させて肋筋１１ａを配筋することにより行う。なお、増設梁１０の下端主筋（主筋１１）は、既存躯体と直交増設梁１０’の内部において必要な定着長が確保できるように、一端を折り曲げた鉄筋を挿通させる。また、増設梁１０の上端主筋（主筋１１）は、鉄筋挿通孔３０を貫通した後、直交増設梁１０’を貫通して固定手段１２により固定が可能な長さを有して配筋する。
その他の配筋工程の内容は、第１実施形態で示したものと同様なため、詳細な説明は省略する。
【００４７】
そして、配筋工程により配筋された増設梁１０及び直交増設梁１０’の主筋１１および肋筋１１ａの周囲に、型枠（図示せず）を配設した後（型枠工程）、コンクリートを型枠内に打設する（充填工程）。そして、コンクリートの養生が完了したら、型枠を取り外して、固定手段１２のナット１２ｂを締め付けて、主鉄筋１１の定着を完了させる。
【００４８】
以上に示した第２実施形態に係る増設梁の接合構造による作用効果は、第１実施形態で示したものと同様であるため、詳細な説明は省略する。
【００４９】
以上、本発明について、好適な実施形態について説明したが、本発明は前記の実施形態に限られず、本発明の趣旨を逸脱しない範囲で適宜設計変更が可能である。
第１実施形態では、増設梁を既存梁に接合する構成としたが、例えば、図４および図５に示すように、増設梁１０の主筋を既存柱２１ａ、２１ｂに貫通させて、接合する構成としてもよく、増設梁を接合する既存建物の躯体は限定されるものではない。また、増設梁を既存建物の壁に接合してもよいことはいうまでもない。
【００５０】
第１実施形態では、中央既存梁を挟む増設梁の上端主筋が同一の鉄筋からなり、中央既存梁を貫通する構成としたが、中央既存梁を挟む増設梁がそれぞれ個別の上端主筋を有して、それぞれ中央既存梁に定着されている構成としてもよい。
また、第１実施形態では、上端主筋のみが中央既存梁を貫通する構成としたが、全主筋が中央既存梁を貫通する構成としてもよく、増設梁の配筋は、既存梁の断面形状に応じて適宜設定すればよい。
【００５１】
ずれ止筋やアンカー等を必要に応じて増設梁と既存梁との間に所定の間隔で配設することにより、増設梁と既存梁との一体化をより効果的に行い得ることはいうまでもない。
【００５２】
前記各実施形態では、部材寸法が小さく、増設梁の主筋の定着長が確保できない場合に、本発明の増設梁の接合構造を適用するものとしたが、定着長を確保することが可能な部材厚を有した躯体からなる既存建物について、本発明の第二接合構造を適用することにより、それぞれ個別に行う主筋の固定作業を省略して、施工期間の短縮を図ってもよい。
【００５３】
また、主筋の端部をナットにより締着することで固定する構成としたが例えば、固定板の鉄筋挿通孔から突出した主筋の先端部を、固定板に溶接して固定してもよい。
【００５４】
固定手段として、矩形状の固定板を使用するものとしたが、固定板の形状は問わない。また、前記各実施形態では、１枚の固定板によって複数の主筋を固定する構成としたが、例えば主筋ごとに固定板を配設してもよく、固定手段の構成は限定されるものではない。
【００５５】
また、既存柱を挟んで増設梁を構築する場合に、該既存柱を貫通した主筋を共有する構成としたが、これに限定されるものではなく、それぞれ、主筋を個別に配筋して、それぞれ既存柱に固定手段を介して定着する構成としてもよい。
【００５６】
さらに、前記各実施形態に示した各増設梁の接合構造は、対象となる既存建物の構造や要求性能等に応じて、適宜組み合わせて使用されることはいうまでもない。
【図面の簡単な説明】
【００５７】
【図１】第１の実施の形態に係る既存建物の補強方法により補強がなされた建物を示す断面図である。
【図２】図１のＡ部分の接合構造を示す拡大図であり、（ａ）は平断面図、（ｂ）は（ａ）のａ−ａ断面、（ｃ）は（ａ）のｂ−ｂ断面を示している。
【図３】図１のＢ部分の接合構造を示す拡大図であり、（ａ）は平断面図、（ｂ）は（ａ）のｃ−ｃ断面、（ｃ）は（ａ）のｄ−ｄ断面を示している。
【図４】第２の実施の形態に係る増設梁の接合構造を示す図であり、（ａ）は平断面図、（ｂ）は（ａ）のｅ−ｅ断面を示している。
【図５】その他の実施形態の第一接合構造を示す図であり、（ａ）は平断面図、（ｂ）は（ａ）のａ−ａ断面、（ｃ）は（ａ）のｂ−ｂ断面を示している。
【図６】その他の実施形態の第二接合構造を示す図であり、（ａ）は平断面図、（ｂ）は（ａ）のｃ−ｃ断面を示している。
【符号の説明】
【００５８】
１      第一接合構造（増設梁の接合構造）
２      第二接合構造（増設梁の接合構造）
１０    増設梁
１１    主筋
１２    固定手段
２０    既存建物
２１    既存柱
２２    既存梁（躯体）
２３    スラブ
３０    鉄筋挿入孔
【図１】
2006125022.tif 000003
【図２】
2006125022.tif 000004
【図３】
2006125022.tif 000005
【図４】
2006125022.tif 000006
【図５】
2006125022.tif 000007
【図６】
2006125022.tif 000008